(57)【特許請求の範囲】
【請求項１】
立ち上がり部と、該立ち上がり部の室外側に形成されるフランジ部とを備える構造材を、梁材の室外側に直接もしくはアングル材等を介して固定し、構造材若しくは隣接する構造材間に断熱材支持手段を設け、該断熱材支持手段によって少なくとも表面側が非透水性材からなる断熱材を架設すると共に、構造材のフランジ部の室内側に断熱材の一端に設けた被重合部を、フランジ部の室外側に断熱材の他端に設けた重合部を配し、フランジ部の室外側に外装構造を構築することを特徴とする建築物の外装構造。
【請求項２】
隣接する断熱材同士の端部を構造材のフランジ部を挟んで重合させた重合部分内に排水用の空間部を有することを特徴とする請求項１に記載の建築物の外装構造。
【請求項３】
断熱材は、表面側に排水溝を備えることを特徴とする請求項１又は２に記載の建築物の外装構造。
【請求項４】
断熱材の室内側にマイナスイオン発生建材或いは断熱、吸音、遮音、防耐火から選ばれる１つ以上の特性を有する機能性ボードを配したことを特徴とする請求項１〜３の何れか一項に記載の建築物の外装構造。
【請求項５】
立ち上がり部と、該立ち上がり部の室外側に形成されるフランジ部とを備える構造材を、梁材の室外側に直接若しくはアングル材等を介して固定し、構造材若しくは隣接する構造材間に設けた断熱材支持手段によって少なくとも表面側が非透水性材からなる断熱材を架設すると共に、構造材のフランジ部の室内側に断熱材の一端に設けた被重合部を、フランジ部の室外側に断熱材の他端に設けた重合部を配し、フランジ部の室外側に外装構造を構築することを特徴とする建築物の外装構造の施工方法。
【請求項６】
隣接する構造材間に、構造材と相俟って平面視が格子状となる受け材を架設し、少なくとも表面が非透水性材からなる断熱材の周縁を構造材及び受け材に支持させることを特徴とする請求項５に記載の建築物の外装構造の施工方法。
【発明の詳細な説明】
【０００１】
【発明の属する技術分野】
本発明は、雨仕舞性及び熱橋（ヒートブリッジ）の解消の両面において極めて高い性能を有する建築物の外装構造及びその施工方法に関する。
【０００２】
【従来の技術】
従来より、建築物の天井にＩ型或いはＣ型鋼からなる母屋、或いはそのさらに上方の屋根構造裏面が露出している場合、極めて意匠的に見栄えが悪い為、化粧、断熱を目的とした天井材等を母屋の上面に載置した構造が一般的に採用されている。また、母屋上にフレーム状の取付部材を直交状に配し、この取付部材に網状の支持部材を配することで、取付部材と支持材で矩形の受部を形成してこの受部内に天井材を配設する構成も提案されている。
【０００３】
【発明が解決しようとする課題】
しかしながら、前記従来の方法は、母屋等の構造材に、ビス等の固定具にて屋根構造或いは屋根構造を保持するための保持部材を固定した場合、屋根構造の裏面側へ侵入した雨水等が固定具を伝って母屋及び室内側に浸水するという問題があった。その際、非透水性部材を下地材として用いて屋根材裏面に侵入した雨水等を排水するものも知られているが、上述のようにビス等の固定具を伝って浸水することは防止できなかった。また、天井材として非透水性部材を用いたとしても、その端部、即ち母屋等の構造材と天井材との隙間から室内側への浸水を防止することができなかった。
また、母屋等の構造材に屋根構造や保持部材を固定するので、それらの固定部分が熱橋（ヒートブリッジ）を形成してしまうものであった。
【０００４】
【課題を解決するための手段】
本発明は、上記に鑑み提案されたもので、立ち上がり部と、該立ち上がり部の室外側に形成されるフランジ部とを備える構造材を、梁材の室外側に直接もしくはアングル材等を介して固定し、構造材若しくは隣接する構造材間に断熱材支持手段を設け、該断熱材支持手段によって少なくとも表面側が非透水性材からなる断熱材を架設すると共に、構造材のフランジ部の室内側に断熱材の一端に設けた被重合部を、フランジ部の室外側に断熱材の他端に設けた重合部を配し、フランジ部の室外側に外装構造を構築することを特徴とする建築物の外装構造、及びその施工方法に関するものである。
【０００５】
【発明の実施の形態】
本発明の外装構造に用いる構造材６、断熱材２、断熱材支持手段について図１〜２の実施例に基づいて説明する。
【０００６】
本発明に用いられる構造材６は、立ち上がり部６１と、その室外側に形成されるフランジ部６２とを備える構成であって、図示実施例では室内側に支持フランジ部６３を備えている。
この構造材６は、複数の軽量型鋼を溶接やボルト締め等により一体に形成したものでも良いし、軽量型鋼そのものを構造材として良いし、或いはアルミの押出成形体でも良いし、ロール成形によるものでも良い。
【０００７】
立ち上がり部６１は、図示するように二重で隙間を有する構成としても、単層板状に形成しても良い。そして、図示するようにＬ型のアングル材６’の縦片を立ち上がり部６１の隙間中に挿入して挟持状に固定し、これを梁材４０と固定しても良いし、アングル材６’の縦片を立ち上がり部６１に沿設状に固定しても良い。
また、図示実施例の立ち上がり部６１には開口部６１１を形成した。この開口部６１１は楕円形、円形等どのような形状でも良く、適宜間隔で設ければ良い。この開口部６１１は、梁材４０に固定するためのＬ型のアングル材６’の取付孔として用いても良いし、さらには後述する受け材９或いは受け材９を連結させる連結部材９０を取り付ける取付部として用いても良いし、太陽電池等の電気配線、その他の配線・配管などを通すこともできる。
【０００８】
フランジ部６２は、外装構造を構成する外装材、吊子、タイトフレーム等の保持部材、垂木等の支持部材等の固定箇所であり、図示するように何れか一方（内側か外側）のみに延出するものでも良いし、両方に延出するものでも良いが、構造材６を屋根の傾斜勾配に直交するように配設する態様において、何れか一方のみにフランジ部６２を延出させる場合には、図示するように軒側にフランジ部６２が延出するように配設する。
【０００９】
支持フランジ部６３は、後述する断熱材２の端部又は断熱材２の裏面に配されるマイナスイオン発生建材７や機能性ボートの端部を支持したり、或いは断熱材２やマイナスイオン発生建材７等を支持する受け材９の一部（基端）を支持する作用を果たす。さらに、断熱材２やマイナスイオン発生建材７等の左右の端部を下方（室内側）から見えないようにするので、目地材（端部隠し）も兼ねる。また、支持フランジ部６３は、構造材６の立ち上がり部６１の変形等を防止する。さらに、図示実施例ではこの構造材６を梁材４０上に固定する際に、Ｌ型のアングル材６’を用いて梁材４０上に固定したが、この支持フランジ部６３を直接梁材４０上に固定する場合の固定部として用いることもできる。
【００１０】
本発明に用いられる断熱材２は、非透水性材からなり、略一定厚みの平坦部２１の端部に重合部２２及び被重合部２３を備える構成であって、非透水性の単一部材からなるものがリサイクル性の面で望ましく、主に比較的硬質の発泡ポリスチレン、発泡ポリウレタン等の発泡（独立発泡）樹脂からなる公知の非透水性材料が使用できる。また、表層が非透水性材であれば、裏面側に他の材料を積層してなる構成でも良いが、リサイクル性を考慮すると、表層が非透水性樹脂層であれば裏面側にも樹脂層（非透水性でなくても良い）を積層一体化したものが望ましい。異材質の複数材料、例えば非透水性樹脂層（表層側）と木毛セメント板等（裏面側）を組み合わせる場合などには、敢えて一体化せずに別部材として配設した方が分別回収が容易でリサイクル性に優れている。尚、この場合、二部材からなる断熱材２と見なしても良いし、表層の非透水性樹脂層のみを断熱材２、裏面側の木毛セメント板等を第二断熱材と見なしても良い。また、後述するマイナスイオン発生建材７のような機能性ボードを裏面側に配設する場合も、予め断熱材２と機能性ボードとを一体の積層品に成形しておくことも技術的には可能であるが、敢えて一体化せずに別部材として配設した方が分別回収が容易でリサイクル性に優れている。
【００１１】
重合部２２は構造材６のフランジ部６２の室外側に延出するものであって、被重合部２３は構造材６のフランジ部６２の室内側に延出するものであり、隣接する断熱材２と重合可能であるが、フランジ部６２が間に介在している。したがって、前述のようにフランジ部６２が外装構造（吊子、タイトフレーム、垂木等）等の固定箇所となるが、このフランジ部６２の室外側には重合部２２が介在しているので、重合部２２が外装構造との面接触を防止し、断熱性が極めて高いものとなる。
図示実施例の重合部２２は、平坦部２１の軒端に設けられ、フランジ部６２の上面に沿うと共にフランジ部６２の軒側にまで延在する薄肉の被覆部分２２１と、その下端が膨出状の係止部分２２２とからなる。また、被重合部２３は、平坦部２１の棟端に設けられ、フランジ部６２よりも幅広に形成されてフランジ部６２の下方に配される薄肉の受け部分２３１と、その先端の水返し部分２３２とからなる。そして、上記重合部２２及び被重合部２３をフランジ部６２を挟んで重合させた重合部分には、排水用の空間部２４が形成されるようにした。
尚、同様に図１に示すように左右方向の端縁にも、隣接する断熱材２と重合可能な重合部２２’及び被重合部２３’を設け、空間部２４’が形成されるようにした。
【００１２】
また、この断熱材６の表面側には軒棟方向（流れ方向）に沿って複数の排水溝２５を形成した。この排水溝２５は、棟側の被重合部２３から軒側の重合部２２の表面側にまで至り、棟側では深く、軒側では浅く形成されているが、その施工状態では屋根面の傾斜勾配よりは緩やかながら棟側から軒側へ下り傾斜して雨水を軒側へ排出できる構造となっている。即ちこれら断熱材２上に雨水が侵入しても、この排水溝２５により雨水を確実に下段の断熱材６の被重合部２３（受け部分２３１）上に導くことができ、これを繰り返して確実に雨水を軒側へ排出することができる。
尚、このような排水溝２５は、例えば側縁近傍から内側に斜状に設けることで雨水を側縁から中央側に導くようにしても良いし、主溝、副溝等を設けるようにしても良い。
【００１３】
特に図示実施例では重合部分に空間部２４が形成されるようにしたので、一時的に多量の雨水が生じたり、排水溝２５の一部がゴミや砂等の侵入により閉塞したとしても空間部２４にて別の排水溝２５へ雨水を導くことができ、確実に雨水を軒側へ排出することができる。
【００１４】
本発明に用いられる断熱材支持手段は、前記構成の断熱材２を隣接する構造材６，６間に架設できるものであれば良く、例えば撓み等を生じない材質の断熱材２であれば、構造材６に設けた支持フランジ部６３で断熱材２の端部のみを支持するようにしても良いが、構造材６，６間に受け材９を配したり、天井材等の壁材（例えば後述するマイナスイオン発生建材７など）を架設したり、或いはそれらを併用して断熱材２の裏面を全面的に支持するものが望ましい。
【００１５】
図示実施例では構造材６の開口部６１１に連結部材９０を取り付け、該連結部材９０にメッシュ状の落下防止用ネットである受け材９の端部を取り付け、その上にマイナスイオン発生建材７を支持させ、さらにその上面に断熱材２を敷設する構成であるから、この場合の断熱材支持手段は直接的にはマイナスイオン発生建材７であるが、受け材９もマイナスイオン発生建材７を介して断熱材２を支持しているので断熱材支持手段といえる。尚、このマイナスイオン発生建材７は、前記断熱材２とは全く異なる平面形状のものを配設するようにしても良いし、前記断熱材２とほぼ同一平面形状として予め前記断熱材２と一体の積層品に成形しておくことも技術的には可能であるが、敢えて一体化せずに別部材として配設した方が分別回収が容易でリサイクル性に優れている。
【００１６】
尚、受け材９は、前記メッシュ状の落下防止用ネットに限定されるものではなく、複数のワイヤー、Ｔジョイナー、鋼棒材、フラットバー等を適宜間隔で配置するものであっても、金網、パンチングメタル等であっても良く、これらの２種以上を組み合わせて隣接する構造材６，６間に取り付けるようにしても良い。その際、Ｔジョイナー、鋼棒材、フラットバー等は、構造材としての強度を補う効果も果たすので、これらを受け材９として用いること、或いはこれらと他の構成の受け材９とを組み合わせて補強材として用いることが望ましい。
また、受け材９の構造材６への取り付けは、図示実施例のように別部材の連結部材９０を介して構造材６に取り付けられるものでも良いし、受け材９自体に例えば開口部６１１や支持フランジ部６３への取付手段（取付部９１）が備えられていても良い。図示実施例の連結部材９０は、構造材６の開口部６１１に取り付けられて受け材９の端部を支持する構成であるが、構造材６を挟んで左右に位置する受け材９を開口部６１１にて連結するものでも良い。
さらに、図示しないが構造材６の開口部６１１にマイナスイオン発生建材７の上面に当接する押さえ部材を配設し、この押さえ部材と受け材９にてマイナスイオン発生建材７を挟持するようにしても良い。このような押さえ部材としては、前記受け材９と同様のものを用いることができ、２種以上を組み合わせて用いることもできる。この押さえ部材は、断熱材２の裏面を受ける断熱材支持手段としても機能するので、断熱材２の荷重をマイナスイオン発生建材７に作用させないようにすることができる。
【００１７】
また、図示実施例に用いられたマイナスイオン発生建材７は、少なくとも室内側へマイナスイオンを放出するマイナスイオン発生機能を建材に付与した構成である。
具体的には木毛セメント板等の壁材に室内側面にマイナスイオン発生物質又はマイナスイオン発生塗料を直接付着或いは含浸させても良いし、或いはマイナスイオン発生物質又はマイナスイオン発生塗料を付着或いは含浸させた化粧シート等を壁材の室内側面に貼着したものでも良いし、グラスウール等のばらつきやちくちく感を防ぐ樹脂シートや不織布等の封包材にマイナスイオン発生物質又はマイナスイオン発生塗料を付着或いは含浸させても良いし、通気性を有する化粧板や化粧シート、化粧紙等を壁材の室内面側に接着するための接着剤中にマイナスイオン発生物質又はマイナスイオン発生塗料を混合したものでも良く、それ以外のどのような構成のものでも良く、単層、積層、硬質、軟質等、異質材の組み合わせでも良い。
【００１８】
また、マイナスイオン発生物質やマイナスイオン発生塗料を付着或いは含浸させる方法としては、より具体的には繊維、骨材等の原料素材に付着、含浸させた後に成型して建材とする方法と、成型した建材に付着、成型した通気性建材に含浸させる方法がある。前者方法にあっては、表面積が大きな原料素材に付着させるのでマイナスイオンを放出する面積が大きくなるという利点、原料素材に対する高い付着強度が見込まれるという利点があり、後者方法にあっては、簡易な手法により付着させることができるという利点がある。
【００１９】
マイナスイオン発生物質、マイナスイオン発生塗料としては、公知のどのようなものを用いても良い。特にマイナスイオンを発生する鉱物を微粉末化させた微粉末化鉱物の周辺物質の表面固有抵抗を一定範囲に保つことにより、前記微粉末化鉱物から多量のマイナスイオンを刺激等がなくても定常的に放出できるようにした塗料、即ち導電性を有するバインダー液及び／又は導電性物質を分散したバインダー液に、マイナスイオンを発生する鉱物を微細粉末化して混合させてなるものを用いることが好ましい。
以下に、このマイナスイオン塗料について詳述する。
【００２０】
導電性を有するバインダー液、導電性物質を分散したバインダー液に使用するバインダー液は、例えば導電性物質を添加して一定範囲の導電性を付与することがその塗料の本来の目的を著しく逸脱する絶縁塗料、電着塗料を除いたあらゆる種類の塗料を使用することができ、例えば油性塗料、水性塗料、酒精塗料、セルロース塗料、合成樹脂塗料など広範に例示することができる。その内で、特に水性塗料の乳化重合塗料の１種であるアクリル酸エステル共重合エマルジョン塗料が最も有効に使用することができる。
【００２１】
また、バインダー液に一定範囲の導電性をもたらせるために使用する導電性物質としては、銀微粉末、銅微粉末、その他の導電性金属微粉末、炭素微粉末、炭素繊維微粉末、チタン酸カリウムのウィスカーなどを例示することができ、これらの組成物の１種又は２種以上を選択して利用することができる。
【００２２】
前記導電性物質をバインダー液に添加する量は、導電性物質の種類によって相違するが、バインダー液１００重量部に対し導電性物質５〜２０重量部が効果的である。そして、前記導電性物質をバインダー液に添加することにより、コーティング層又は塗膜とした場合の表面固有抵抗を、１０5〜１０8Ωｃｍの範囲にして適度の導電性をもたらせると、バインダー液中に添加されているマイナスイオン発生鉱物から多量のマイナスイオンを発生することができる。
【００２３】
また、マイナスイオンを発生する鉱物としては、ガーネット、電気石（トルマリン）等を例示することができ、その他にもジルコニウム、バリウム、ランタン、セリウム、ネオジウム等の鉱物焼成による酸化物からなる鉱物などを使用することができ、これらの１種又は２種以上を組み合わせて使用しても良い。特にガーネット９９〜１重量％と、ジルコニウム、バリウム、ランタン、セリウム、ネオジウム等の鉱物焼成による酸化物からなる鉱物１〜９９重量％とを組み合わせて使用する場合には、著しいマイナスイオン放出効果が得られ、後者の鉱物が前者のガーネットのマイナスイオン発生作用を励起する励起材として作用していると考えられる。
【００２４】
前記マイナスイオンを発生する鉱物の添加量は、バインダー液（固形分３３％）１００重量部に対し、鉱物を１〜３０重量部添加するのが最適である。また、前記鉱物を微粉末化する粒度としては、平均粒度として３００μｍ以下が望ましいが、平均粒度が５ｍｍ以下程度でも使用可能である。
【００２５】
前記した構成の塗料を建材に塗布すると、マイナスイオン発生鉱物は自発分極している極性結晶体であり、結晶の両端にプラス極、マイナス極が自発的に生じて電位が永久に保存されるので、プラス極からマイナス極へ常時微弱な電流が流れている。
そして、微粉末化鉱物の周囲物質の表面固有抵抗が大きくて導電性が低いと、帯電性が大きくなって微弱電流の電流値が低くなるために、マイナスイオンの放出が抑えられる。また、微粉末化鉱物の周囲物質の表面固有抵抗が小さくて導電性が高いと、隣接する微粉末化鉱物間での電位が中和されてマイナスイオンの放出が抑えられる。
この塗料を塗布してなるマイナスイオン発生建材では、微粉末化鉱物の周囲物質の表面固有抵抗が１０5〜１０8Ωｃｍの範囲で、適度の導電性を有するので、刺激等が無くても機能性シート表面におけるマイナスイオンの定常的放出を高いレベルで維持することが可能となる。
このようなマイナスイオン発生建材からは、マイナスイオン放出効果に加え、遠赤外線放射効果、アンモニア（ＮＨ3）臭、ホルムアルデヒド（ＨＣＨＯ）等の消臭効果があることも確認されている。
【００２６】
そして、このようなマイナスイオン発生建材を壁材や天井材として使用することにより、放出されるマイナスイオン、遠赤外線、消臭等の作用環境に常に住環境が曝されるものとなり、清涼な爽快感が得られたり、或いは空気清浄効果、味覚改善効果、抗菌作用など、極めて優れた環境改善効果が見込まれる。
また、マイナスイオン発生建材に代えて断熱、吸音、遮音、防耐火から選ばれる１つ以上の特性を有する機能性ボードを配した場合には、外装構造にそれらの特性（機能）が付与されるものとなる。
【００２７】
図１〜２に示す外装構造の施工手順を図３〜１０にて説明する。
まず、図３に示すように屋根面の傾斜に沿って配設された梁材４０上にアングル材６’を用いて構造材６を固定する。その際、構造材６は屋根面の傾斜に直交するように横方向に配設、固定した。
次に、図４に示すように構造材６の開口部６１１に略Ｗ字状の連結部材９０を装着し、受け材（落下防止用ネット）９の端縁を沿わせて連結部材９０の横片９０１の先端を折り曲げて係止した。
その後、図５に示すようにマイナスイオン発生建材７を配設した。これら受け材９やマイナスイオン発生建材７の配設は、取り付けに際してフランジ部６２により傾動が阻害されないように、棟端側を先に載置させ、それを支点にして軒端側を傾動させて配設した。
【００２８】
そして、図６に示すように断熱材２を配設した。この断熱材２の配設については図２（ｂ）にも示したが、マイナスイオン発生建材７等と同様に棟端側を先に載置させ、それを支点にして軒端側を傾動させて配設した。また、下段の断熱材２から敷設し、その上段、即ち軒から棟側に向かって順に断熱材２を配設した。その際、図示実施例の断熱材２は、被重合部２３をフランジ部６２より幅広に成形したのでフランジ部６２の軒側と平坦部２１との間に空間２６が形成されており、その空間２６に、重合部２２に設けた下端が膨出状の係止部分２２２を弾性に抗して挿入すると、係止部分２２２（膨出状部分）がフランジ部６２の軒端に係止され、浮き上がりを生ずることなく安定に保持される。
【００２９】
さらに、図７に示すように支持部材としての金属垂木５１を取り付けた。具体的にはハット型の金属垂木５１に跨るように取付具５２を配し、この取付具５２からビス等の固定具５３を構造材６のフランジ部６２に打ち込んで固定した。その際、取付具５２か固定具５３の一方或いは両方を断熱性を有する素材にて形成することにより、熱橋（ヒートブリッジ）を解消することができ、室外側の熱を室内側へ伝えることがない。また、構造材６或いはアングル材６’を断熱性素材にて形成してばなおよい。
その後、図８に示すようにバックアップ材２００を取り付け、図９に示すように横葺き外装材である外装材１を取り付け、図１０に示すように吊子５４を金属垂木５１に固定しながら外装材１を保持するように施工した。
【００３０】
図１１〜１２に示す実施例は、左右側縁を折下げた縦葺き外装材である外装材１と、その側縁間を覆うカバー材３により、平滑状の外装面が得られるように施工した外装構造を取り付けたものであり、それ以外の構成は前記図１〜２の実施例と同様であり、同一符号を付して説明を省略する。
【００３１】
したがって、断熱材２を敷設するまでの施工手順についても前記図３〜６と同様に行い、図１３に示すように屋根面全面に断熱材２が敷設された構造を得ることができる。
さらに、図１４に示すように流水部材５５を取り付け、図１５に示すように吊子を取り付けた。具体的にはまず、中央に隆起する固定部５５１を有して断面略Ｗ字状の長尺な流水部材５５を断熱材２上に沿わせ（図１４）、ピース材である吊子５６を流水部材５５の中央に適宜間隔で配し、ビス等の固定具５７を構造材６のフランジ部６２に打ち込むことにより、吊子５６及び流水部材５５を一連に固定した（図１５）。
その後、図１６に示すようにバックアップ材２００を配設し、図１７に示すように縦葺き外装材である外装材１を吊子５６に保持させ、図１８に示すようにカバー材３を外装材１，１間に保持されるように施工した。
【００３２】
このように構造材６のフランジ部６２に固定する外装構造は、特に限定するものではなく、例えば縦葺き、横葺き、折板等の公知の外装構造を用いることができ、緑化構造でも良い。
【００３３】
特に図１９に示すＴジョイナーである受け材９は、縦片９２の一部を開口部６１１から挿入し、開口部６１１を挟んで対向する受け材９の縦片９２で被覆するように配置することにより開口部６１１に取り付けられる。
このようなＴジョイナー（受け材９）は、図２０に示すように横片９３が機能性ボード（マイナスイオン発生建材）７の前後の縁部を下方（室内側；図２０（ｄ））から見えないようにするので、目地材（端部隠し）も兼ねる。即ちこのようなＴジョイナー（受け材９）を構造材６の支持フランジ部６３と相俟って図２０（ｂ）に示すように平面視格子状に架設した場合、図２０（ｃ）に示すように前記格子状部分で小面積で矩形パネル状の機能性ボード（マイナスイオン発生建材）７の周縁（前後左右縁）を支持することができる。このＴジョイナー（受け材９）を用いない場合、機能性ボード（マイナスイオン発生建材）７，７の前後方向の突き合わせ縁部が室内側から見え、機能性ボード（マイナスイオン発生建材）７，７が前後方向に収縮して隙間が生じた場合や逆に左右方向に伸張してたるみの段差が生じた場合などには極めて見映えが悪いものとなる。これに対し、Ｔジョイナー（受け材９）は機能性ボード（マイナスイオン発生建材）７の前後方向の縁部を支持してたるみ自体を抑制し、さらに仮に機能性ボード（マイナスイオン発生建材）７，７が収縮しても室内側から見えないため、意匠性が優れている。また、格子状（区画状）に構成されるため電気設備（照明器具）等をユニット化することでユニット工法を採用することもできる。さらに、１つの格子状部分に１枚の機能性ボード（マイナスイオン発生建材）７を配置するので位置決めが容易である。このような態様にはＴジョイナーばかりでなくフラットバー等の支持強度を有する部材をも適用できる。尚、図２０（ｂ）〜（ｄ）は、図２０（ａ）に付記した黒矢印部分の上方、即ちフランジ部６２を欠截して示したものである。
【００３４】
以上本発明を図面の実施の形態に基づいて説明したが、本発明は前記実施の形態に限定されるものではなく、特許請求の範囲に記載の構成を変更しない限りどのようにでも実施することができる。例えばマイナスイオン発生建材７やその他の機能性ボードとしては天井材（板）ばかりでなく、その他の内壁材などにも適用することができる。
【００３５】
【発明の効果】
以上説明したように本発明の建築物の外装構造は、隣接する非透水性の断熱材が構造材を包み込むようにように重合するので、断熱層が構造材にて遮断されることがなく連続するので、雨仕舞性及び熱橋（ヒートブリッジ）の解消の両面において従来にない高い性能を有するものである。
【００３６】
また、断熱材の表面側に排水溝を形成した場合、外装構造の裏面側に侵入した雨水を速やかに軒側へ排水することができる。即ち上段の断熱材の排水溝にて流下させた雨水等を確実に下段の断熱材上へ導くことができ、順次軒側へ流下させることができる。
【００３７】
さらに、隣接する断熱材同士の重合部分内に排水用の空間部を形成した場合、一時的に多量の雨水が生じたり、排水溝の一部がゴミや砂等の侵入により閉塞した場合にもこの空間部にて別の排水溝へ雨水を導くことができ、確実に雨水を軒側へ排出することができる。
【００３８】
また、断熱材の室内側にマイナスイオン発生建材或いは断熱、吸音、遮音、防耐火から選ばれる１つ以上の特性を有する機能性ボードを配した場合、特にマイナスイオン発生建材を用いることで、建築物内の生活環境の改善を容易に図ることができ、室内側に清涼な爽快感が得られ、或いは空気清浄効果、抗菌作用など、極めて優れた環境改善効果が得られる。
【００３９】
受け材を構造材のフランジ部と相俟って平面視格子状に架設すると共に、前記格子状部分で機能性ボードの周縁を支持した場合、機能性ボードの縁部が隠され、室内側からみた場合の意匠性が優れている。また、格子状（区画状）に構成されるため電気設備（照明器具）等をユニット化することでユニット工法を採用することもできる。さらに、１つの格子状部分に１枚の機能性ボードを配置するので位置決めが容易である。
【図面の簡単な説明】
【図１】本発明の外装構造の一実施例を示す一部を欠截した斜視図である。
【図２】（ａ）図１の外装構造の側断面図、（ｂ）断熱材の取付方法を拡大して示す側断面図、（ｃ）図１の外装構造の正面図である。
【図３】図１の外装構造の施工手順の一部を示し、構造材の取付を示す斜視図である。
【図４】図１の外装構造の施工手順の一部を示し、受け材の取付を示す斜視図である。
【図５】図１の外装構造の施工手順の一部を示し、マイナスイオン発生建材の取付を示す斜視図である。
【図６】図１の外装構造の施工手順の一部を示し、断熱材の取付を示す斜視図である。
【図７】図１の外装構造の施工手順の一部を示し、垂木の取付を示す斜視図である。
【図８】図１の外装構造の施工手順の一部を示し、バックアップ材の取付を示す斜視図である。
【図９】図１の外装構造の施工手順の一部を示し、外装材（横葺き外装材）の取付を示す斜視図である。
【図１０】図１の外装構造の施工手順の一部を示し、吊子の取付を示す斜視図である。
【図１１】本発明の外装構造の他の一実施例を示す一部を欠截した斜視図である。
【図１２】（ａ）図１１の外装構造の側断面図、（ｂ）正面図である。
【図１３】図１１の外装構造の施工手順の一部を示し、断熱材を取り付けた状態を示す斜視図である。
【図１４】図１１の外装構造の施工手順の一部を示し、流水部材の取付を示す斜視図である。
【図１５】図１１の外装構造の施工手順の一部を示し、吊子の取付を示す斜視図である。
【図１６】図１１の外装構造の施工手順の一部を示し、バックアップ材の取付を示す斜視図である。
【図１７】図１１の外装構造の施工手順の一部を示し、外装材（縦葺き外装材）の取付を示す斜視図である。
【図１８】図１１の外装構造の施工手順の一部を示し、カバー材の取付を示す斜視図である。
【図１９】受け材の他の一例を示す斜視図である。
【図２０】（ａ）図１９の受け材を用いて機能性ボード（パネル）を取り付けた状態を示す側面図、（ｂ）機能性ボードを取り付ける前の状態を示す一部を欠截した平面図、（ｃ）機能性ボードを取り付けた状態を示す一部を欠截した平面図、（ｄ）その底面図である。
【符号の説明】
１  外装材
２  断熱材
２２  重合部
２３  被重合部
２４  空間部
２５  排水溝
４０  梁材
６  構造材
６１  立ち上がり部
６２  フランジ部
７  マイナスイオン発生建材（機能性ボード）
【図１】
0003658567.tif 000002
【図２】
0003658567.tif 000003
【図３】
0003658567.tif 000004
【図４】
0003658567.tif 000005
【図５】
0003658567.tif 000006
【図６】
0003658567.tif 000007
【図７】
0003658567.tif 000008
【図８】
0003658567.tif 000009
【図９】
0003658567.tif 000010
【図１０】
0003658567.tif 000011
【図１１】
0003658567.tif 000012
【図１２】
0003658567.tif 000013
【図１３】
0003658567.tif 000014
【図１４】
0003658567.tif 000015
【図１５】
0003658567.tif 000016
【図１６】
0003658567.tif 000017
【図１７】
0003658567.tif 000018
【図１８】
0003658567.tif 000019
【図１９】
0003658567.tif 000020
【図２０】
0003658567.tif 000021